(57)【要約】【課題】  ユーザの利便性を損なうことなく撮影状況に応じて消費電力を軽減しうるカメラを提供する。【解決手段】  装置本体と前記装置本体の前面側に設けられた撮影レンズを介して被写体からの被写体光を撮像する撮像素子１１１と、前記装置本体の前記前面側とは反対側である背面側に設けられた第１表示部４と第２表示部７とを備え、前記第１表示部４を遮蔽するように当該第１表示部４に重ね合わせた第１状態と当該第１表示部４が露出するように当該装置本体の上面から突出せしめた第２状態とに切り換え可能な表示ユニットと、前記表示ユニットの、前記第２状態下での前記装置本体に対する配置状態に基づいて、前記第１表示部４を低消費電力モードによる所定の表示状態に制御する表示制御部１１０とを備える。【選択図】図３
2010004109.tif 000002
【特許請求の範囲】
【請求項１】
装置本体と、
前記装置本体の前面側に設けられた撮影レンズを介して被写体からの被写体光を撮像する撮像素子と、  
前記装置本体の前記前面側とは反対側である背面側に設けられた第１表示部と第２表示部とを備え、前記第１表示部を遮蔽するように当該第１表示部に重ね合わせた第１状態と当該第１表示部が露出するように当該装置本体の上面から突出せしめた第２状態とに切り換え可能な表示ユニットと、
前記表示ユニットの、前記第２状態下での前記装置本体に対する配置状態に基づいて、前記第１表示部を低消費電力モードによる所定の表示状態に制御する表示制御部と
を備えることを特徴とする撮像装置。
【請求項２】
前記表示ユニットの、前記第２状態下での前記装置本体に対する配置状態に基づいて、使用者による撮影フォームが所定の撮影フォームか否かを判別する判別部を備え、
前記第２表示部は前記装置本体に対して回転可能に取り付けられており、
前記表示制御部は、前記所定の撮影フォームであると判別されると、前記第２表示部に前記撮像素子から出力される撮像信号に基づくスルー画像を表示し、前記第１表示部を前記所定の表示状態に制御することを特徴とする請求項１記載の撮像装置。
【請求項３】
前記所定の撮影フォームは、ローアングル撮影フォーム又はハイアングル撮影フォームであり、
前記判別部は、前記第１表示部の表示面と平行な面よりも、前記装置本体の前記前面側に前記第２表示部が所定角度以上回転された位置に配置されている場合に前記ローアングル撮影フォームであると判別し、前記装置本体の前記背面側に前記第２表示部が所定角度以上回転された位置に配置されている場合に前記ハイアングル撮影フォームであると判別することを特徴とする請求項２記載の撮像装置。
【請求項４】
前記装置本体の背面に、当該背面方向の対象物を検知する検知部を備え、
前記判別部は、前記検知部によって、前記対象物が検知されたときは前記ローアングル撮影フォームであると判別し、前記対象物が検知されなかったときは前記ハイアングル撮影フォームであると判別することを特徴とする請求項３記載の撮像装置。
【請求項５】
前記所定の表示状態は、前記第１表示部の消灯を含むことを特徴とする請求項１〜４の何れか一項に記載の撮像装置。
【発明の詳細な説明】
【技術分野】
【０００１】
本発明は、画像を表示する複数の表示部を備えた撮像装置に関するものである。
【背景技術】
【０００２】
従来、カメラの背面にスルー画像を表示可能なモニタを備え、ハイアングルやローアングルの撮影姿勢においてモニタの画像を見やすいようにモニタを回動させることができるカメラが存在する(特許文献１参照)。また、電子ビューファインダと液晶ディスプレイ等、複数の表示部を備えたカメラが存在する(特許文献２参照)。
【特許文献１】特開平９−４３７１７号公報
【特許文献２】特開２００４−１０４３３５号公報
【発明の開示】
【発明が解決しようとする課題】
【０００３】
ところで、デジタルカメラにおいては、電池の消費をできるだけ軽減することが望ましく、従来から種々の方法により消費電力を軽減する技術が開発されている。特に、複数のディスプレイを備えたカメラの場合には、一方のディスプレイにスルー画像を表示し、他方のディスプレイにメニュー画像やカメラ操作に関する補助的な情報を表示することができるので、ユーザにとっては利便性が高いが消費電力が大きいという問題を有す。
【０００４】
本発明は、ユーザの利便性を損なうことなく消費電力を軽減しうるカメラを提供することを目的とする。
【課題を解決するための手段】
【０００５】
本発明は以下のような解決手段により上記課題を解決する。なお、理解を容易にするため、本発明の実施形態に対応する符号を付して説明するが、本発明は、これに限定されるものではない。
【０００６】
本発明に係るカメラ(１)は、装置本体(２)と、前記装置本体(２)の前面側に設けられた撮影レンズ(３)を介して被写体からの被写体光を撮像する撮像素子(１１１)と、前記装置本体(２)の前記前面側とは反対側である背面側に設けられた第１表示部(４)と第２表示部(７)とを備え、前記第１表示部(４)を遮蔽するように当該第１表示部(４)に重ね合わせた第１状態と当該第１表示部が露出するように当該装置本体(２)の上面から突出せしめた第２状態とに切り換え可能な表示ユニット(６)と、前記表示ユニット(６)の、前記第２状態下での前記装置本体(２)に対する配置状態に基づいて、前記第１表示部(４)を低消費電力モードによる所定の表示状態に制御する表示制御部(１１０)とを備える。
【発明の効果】
【０００７】
本発明は、表示ユニットの配置状態に基づいて第１表示部を低消費電力モードの表示状態に制御する。従って、ユーザの利便性を損なうことがなくカメラの消費電力を軽減することができる。
【発明を実施するための最良の形態】
【０００８】
以下、図面を参照して、本発明の実施形態に係るカメラについて説明する。図１は、本実施形態に係るカメラの側面図である。カメラ１は、傾斜した背面部２ｂを有するカメラ本体２と、カメラ本体２の前面２ｃに交換(着脱)可能に設けられた撮影レンズ３と、カメラ本体２の背面２ｂ側の上端部に設けられたヒンジ部５によって回転可能に支持された表示ユニット６とを備えている。この表示ユニット６は、所望の回転位置で保持されるように構成されている。図２は、図１に示す表示ユニット６を撮影レンズ３側へ回転させた状態を示す図である。カメラ本体２の背面には第１表示部４が設けられており、表示ユニット６には第２表示部７が設けられている。カメラ１は、表示ユニット６の回転によって、第１表示部４と第２表示部７が対向した状態で重ね合わされた第１状態と、第１表示部４が露出するように、カメラ本体２の上面２ａから表示ユニット６が突出した第２状態とに切り換えることができる。
【０００９】
図３は、本実施形態に係るカメラ１のシステム構成を示すブロック図である。カメラ１は、撮像素子１１１、画像データ記憶部１１２、画像処理部１１３、メモリカード１１４、操作部１１５、角度(回転量)検出部１１６、角度(回転量)情報記憶部１１７、第１表示部４、及び第２表示部７と、これらの各部と接続され、カメラ１を構成する各部を制御する制御部１１０を含んで構成されている。
【００１０】
撮像素子１１１は、ＣＣＤ或いはＣＭＯＳ等によって構成され、撮影レンズ２を介した被写体光を撮像してアナログ信号の撮像信号を出力する。画像データ記憶部１１２は、撮像素子１１１から出力された撮像信号を図示しないＡ／Ｄ変換部においてＡ／Ｄ変換して生成された画像データを一時的に記憶する。画像処理部１１３は、画像データ記憶部１１２に記憶された画像データにホワイトバランス調整、輪郭補償、ガンマ補正等の画像処理を行う。
【００１１】
メモリカード１１４は、ＳＤカード等で構成され、ＲＡＷデータ、ＪＰＥＧ等の各画像データや撮影情報(シャッタ速度等の撮影条件の情報)等を記憶する。操作部１１５は、レリーズボタンや電源ボタン等の各操作ボタンを含み、各操作ボタンを用いたユーザ操作を受付ける。角度(回転量)検出部１１６は、ヒンジ部５近傍に配置され、表示ユニット６の回転角度を検出する。第１表示部４及び第２表示部７は、液晶ディスプレイ等で構成されており、スルー画像やメニュー画像等を表示する。
【００１２】
角度(回転量)情報記憶部１１７は、表示ユニット６の回転角度に応じて撮影フォームがハイアングル又はローアングルであるか否かを判断するための角度情報（θ１，θ２）を記憶している。図４は、撮影フォームがハイアングル及びローアングルの場合における表示ユニット６の回転位置を示している。図４(ａ)に示すように、第１表示部４と第２表示部７が平行となる表示ユニット６の位置(図４(ａ)で表示ユニット６が実線で示される位置)を基準位置として、表示ユニット６が、その基準位置からカメラ本体２の背面側に角度θ2以上傾いている場合（表示ユニット６が６ａで示されるような回転位置に配置される場合）をハイアングル撮影フォームとし、一方その基準位置から前面側に角度θ1以上傾いている場合（表示ユニット６が６ｂで示されるような回転位置に配置される場合）をローアングル撮影フォームとする。図４(ｂ)には、ローアングル撮影フォームで撮影する例を、図４(ｃ)には、ハイアングル撮影フォームで撮影する例を示している。
【００１３】
次に、図５に示すフローチャートを参照して本実施形態に係るカメラ１の動作を説明する。カメラ１の制御部１１０は、操作部１１５を用いて電源がオンされると（ステップＳ１１）、角度(回転量)検出部１１６により表示ユニット６の回転角度を検出する（ステップＳ１２）。
【００１４】
制御部１１０は、角度(回転量)情報記憶部１１７に記憶されている角度情報を読み出し、角度(回転量)検出部１１６により検出された検出角度が基準位置から背面側にθ2以上傾いている角度である場合には、ハイアングル撮影フォームであると判断する（ステップＳ１３のＹＥＳ判断）。また、制御部１１０は、ステップＳ１３において、ハイアングル撮影フォームではないと判断した場合において、検出角度が基準位置から前面側にθ1以上傾いている角度であるときには、ローアングル撮影フォームであると判断する（ステップＳ１４のＹＥＳ判断）。制御部１１０は、ステップＳ１３又はステップＳ１４において、ハイアングル撮影フォーム又はローアングル撮影フォームであると判断された場合には、撮像素子１１１から出力された撮像信号に基づいて画像処理部１１３により画像処理されたスルー画像を第２表示部７に表示し（ステップＳ１５）、第１表示部４を消灯する（ステップＳ１６）。
【００１５】
また、制御部１１０は、ステップＳ１４において、検出角度が基準位置から前面側にθ1以上傾いている角度ではないと判断した場合には（ステップＳ１４のＮＯ判断）、撮像素子１１１から出力された撮像信号に基づいて画像処理部１１３により画像処理されたスルー画像を第２表示部７に表示し（ステップＳ１７）、第１表示部４に、現在の撮影条件(シャッタ速度、絞り値等)、輝度ヒストグラム等の撮影情報や、それら撮影情報の変更設定用のメニュー画像等を表示する（ステップＳ１８）。
【００１６】
制御部１１０は、操作部１１５を用いて電源がオフされた場合には（ステップＳ１９）、処理を終了し、電源がオフされない場合には（ステップＳ１９）、ステップＳ１２に戻って上記各ステップの処理を繰り返し行う。
【００１７】
本実施形態に係るカメラにおいては、表示ユニット６の回転角度に応じて撮影フォームがハイアングルかローアングルかを判断し、撮影フォームがハイアングル又はローアングルである場合には、第２表示部７にスルー画像を表示し、第１表示部４を消灯する。ハイアングルやローアングルで撮影を行う際には、撮影者は第１表示部４に表示された画像は全く見えないか、見えにくい状態となる。そのため、ハイアングル又はローアングルでの撮影時に、第１表示部４を消灯して第２表示部７のみにスルー画像を表示してもユーザの利便性を損なうことがない。また、このようにすることでカメラの消費電力を軽減することができる。
【００１８】
なお、上述した実施形態では、電源がオンされたときに表示ユニット６の角度を検出しているが、ユーザによりレリーズボタンが半押しされた場合に、角度(回転量)検出部１１７により表示ユニット６の角度を検出してもよい。レリーズボタンの半押し操作がなされるまでは、ユーザは第１表示部４及び第２表示部７を見ている場合があることから、レリーズボタンの半押し操作時に撮影フォームを判断し、ハイアングル又はローアングルの撮影フォームである場合に第１表示部４を消灯することで、ユーザの利便性を高めつつカメラの省電力化を図ることができる。
【００１９】
また、上述した実施形態では、表示ユニット６の角度に応じてハイアングル又はローアングルの撮影フォームを判断している。これに加えて、上述の実施形態に係るカメラの第１表示部４の下縁部の近傍に撮影者(物体)の有無を検知するための近接センサを備え、これを使って次のように判断してもよい。表示ユニット６がカメラの背面側に角度θ２以上傾いている場合であって、且つ近接センサにより撮影者が検知されなかったときに、撮影フォームがハイアングルであると判断する。そして、表示ユニット６がカメラの前面側に角度θ１以上傾いている場合であって、且つ近接センサにより撮影者が検知されたときに、撮影フォームがローアングルであると判断する。この場合、表示ユニットの角度だけでなく近接センサをも用いて撮影者が検知されたか否かを撮影フォームの判断条件としているので、撮影フォームの判断をより的確に行うことができる。
【００２０】
また、上述した実施形態では、撮影フォームがハイアングル又はローアングルである場合に、第１表示部４を消灯することで低消費電力モードの表示状態にするものとして説明した。しかしながら、第１表示部４のコントラストや輝度を落として表示したり、または、第１表示部４への画像信号の出力を停止したりする等の表示状態にしてもよい。
【００２１】
また、上述した実施形態では、撮影フォームがハイアングル又はローアングルの何れでもない場合に、第２表示部７にスルー画像を表示し、第１表示部４に撮影情報やメニュー画像を表示するものとして説明したが、第１表示部４と第２表示部７とを一つの画面としてスルー画像を表示するようにしてもよい。
【００２２】
なお、本実施形態では、撮影者の第１表示部４に対する視認性を鑑みて背面を傾斜させた構造にしたが、本発明は、これに限定されるものではない。カメラ背面を撮影レンズ光軸にほぼ垂直に形成し、第１表示部４もその光軸に略垂直な面に配設させたカメラにおいても、本発明は適用可能である。
【００２３】
また、上記実施形態では、レンズ交換式のカメラについて説明したが、本発明はこれに限られず、レンズ一体式カメラにも適用可能である。
【図面の簡単な説明】
【００２４】
【図１】実施形態に係るカメラが第１状態である場合の側面図である。
【図２】実施形態に係るカメラが第２状態である場合の側面図である。
【図３】実施形態に係るカメラのシステムブロック図である。
【図４】(ａ)は、実施形態に係るハイアングル撮影フォーム及びローアングル撮影フォームを説明する図であり、(ｂ)は、ローアングル撮影フォームで撮影する例を示す図であり、(ｃ)は、ハイアングル撮影フォームで撮影する例を示す図である。
【図５】実施形態に係るカメラの動作を示すフローチャートである。
【符号の説明】
【００２５】
１…カメラ、２…カメラ本体、３…撮影レンズ、４…第１表示部、５…ヒンジ部、６…表示ユニット、７…第２表示部、１１０…制御部、１１１…撮像素子、１１２…画像データ記憶部、１１３…画像処理部、１１４…メモリカード、１１５…操作部、１１６…角度(回転量)検出部、１１７…角度(回転量)情報記憶部
【図１】
2010004109.tif 000003
【図２】
2010004109.tif 000004
【図３】
2010004109.tif 000005
【図４】
2010004109.tif 000006
【図５】
2010004109.tif 000007